【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
内壁によりほぼ環状に囲まれたチャンバを規定しているハウジングと、
２つのローブを備え、両頂点の間に長手方向の中心軸を有する対称的な回転子とを具備し、この回転子は、前記チャンバの中に、前記両頂点が前記内壁を連続的にスイープし、この結果、連続的に容積が増減する、各ローブと前記内壁との間のキャビティを生じるように、前記チャンバの中を偏心的に回転するように配置され、また、この回転子は、前記チャンバの互いに対向している端部を通って延びている単一のシャフトに取り付けられ、また、このシャフトは、前記回転子に位置されている細長いスロットに対する往復運動のために取り付けられているブロックにより規定されている第１ガイド手段を支持し、この結果、このブロックとシャフトとは、前記回転子の偏心的な回転を可能にし、
前記キャビティの中への流体の供給と中からの排出とのための互いに離間された入口ポート及び排出ポートと、
前記回転子をガイドし、また、前記両頂点が、動作の間、前記内壁と連続的に封止された接触をし、この回転子の中心を前記チャンバの中で円形の軌道に従わせることを確実にするように、前記第１ガイド手段と相互作用をしている第２ガイド手段とをさらに具備し、この第２ガイド手段は、前記チャンバの中心軸からずれた中心を有するロータリー機構。
【請求項２】
前記第２ガイド手段は、接触負荷が、相互に係合しているガイド構成要素に沿って一様に分布されるように、整合する接触表面を有するように構成されている複数の構成要素である請求項１に記載のロータリー機構。
【請求項３】
前記第２ガイド手段は、
前記環状のチャンバの少なくとも一端に取り付けられている円形のガイドディスクと、
このガイドディスクを中に受けるような前記回転子の一側面の対応する円形のくぼみとを有し、このくぼみは、前記回転子の中心に原点を有し、この円形のくぼみがこのガイドディスクの周りを回転することを可能とするようにこのガイドディスクよりも大きい請求項１又は２に記載のロータリー機構。
【請求項４】
前記ガイドディスクの中心は、前記チャンバの中心軸からずれている請求項３に記載のロータリー機構。
【請求項５】
前記ガイドディスクの中心は、前記チャンバの中心軸と、シャフトの軸中心との間の中間に位置されている請求項４に記載のロータリー機構。
【請求項６】
前記ガイドディスクは、各チャンバ端に１つずつ設けられた２つのディスクであり、これらディスクは、前記回転子のそれぞれの側面に位置されている対応する円形のくぼみ中に受けられることが可能である請求項３に記載のロータリー機構。
【請求項７】
前記細長いスロットは、前記回転子の長軸に沿うように向けられている請求項１に記載のロータリー機構。
【請求項８】
前記ハウジングと回転子との幾何学的なプロファイルは、前記チャンバの直径と、このチャンバの中心からの前記シャフトのずれの距離とから計算されることができる請求項１に記載のロータリー機構。
【請求項９】
前記回転子の中心は、円形の軌道で動き、この結果、この軌道の中心は、前記チャンバの中心軸とシャフトとの間の中間にずれている前記全ての請求項のいずれか１に記載のロータリー機構。
【請求項１０】
内壁によりほぼ環状に囲まれたチャンバを規定しているハウジングと、
２つのローブを備え、両頂点の間に長手方向の中心軸を有する対称的な回転子とを具備し、この回転子は、前記チャンバの中に、前記両頂点が前記内壁を連続的にスイープし、この結果、連続的に容積が増減する、各ローブと前記内壁との間のキャビティを生じるように、前記チャンバの中を偏心的に回転するように配置され、また、この回転子は、前記チャンバの互いに対向している端部を通って延びている単一のシャフトに取り付けられ、また、このシャフトは、前記回転子に位置されている細長いスロットに対する往復運動のために取り付けられているブロックにより規定されている第１ガイド手段を支持し、この結果、このブロックとシャフトとは、前記回転子の偏心的な回転を可能にし、
前記キャビティの中への流体の供給と中からの排出とのための互いに離間された入口ポート及び排出ポートと、
前記回転子をガイドし、また、前記両頂点が、動作の間、前記内壁と連続的に封止された接触をし、この回転子の中心を前記チャンバの中で円形の軌道に従わせることを確実にするように、前記第１ガイド手段と相互作用をしている第２ガイド手段とをさらに具備し、この第２ガイド手段は、
前記環状のチャンバの少なくとも一端に取り付けられている円形のガイドディスクと、
このガイドディスクを中に受けるような前記回転子の一側面の対応する円形のくぼみとを有し、このくぼみは、前記回転子の中心に原点を有し、この円形のくぼみがこのガイドディスクの周りを回転することを可能とするようにこのガイドディスクよりも大きいロータリー機構。
【請求項１１】
内壁によりほぼ環状に囲まれたチャンバを規定しているハウジングと、
２つのローブを備え、両頂点の間に長手方向の中心軸を有する対称的な回転子とを具備し、この回転子は、前記チャンバの中に、前記両頂点が前記内壁を連続的にスイープし、この結果、連続的に容積が増減する、各ローブと前記内壁との間のキャビティを生じるように、前記チャンバの中を偏心的に回転するように配置され、また、この回転子は、前記チャンバの互いに対向している端部を通って延びている単一のシャフトに取り付けられ、また、このシャフトは、前記回転子に位置されている細長いスロットに対する往復運動のために取り付けられているブロックにより規定されている第１ガイド手段を支持し、この結果、このブロックとシャフトとは、前記回転子の偏心的な回転を可能にし、
前記キャビティの中への流体の供給と中からの排出とのための互いに離間された入口ポート及び排出ポートと、
前記回転子をガイドし、また、前記両頂点が、動作の間、前記内壁と連続的に封止された接触をし、この回転子の中心を前記チャンバの中で円形の軌道に従わせることを確実にするように、前記第１ガイド手段と相互作用をしている第２ガイド手段とをさらに具備し、この第２ガイド手段は、
前記環状のチャンバの少なくとも一端に取り付けられ、このチャンバの中心軸からずれている円形のガイドディスクと、
このガイドディスクを受けるような前記回転子の一側面の対応する円形のくぼみとを有し、このくぼみは、前記回転子の中心に原点を有し、前記ディスクでのこの回転子の制限された動きを可能とするようにこのガイドディスクよりも大きいロータリー機構。
【請求項１２】
内壁によりほぼ環状に囲まれているチャンバを規定しているハウジングと、
２つのローブを備え、両頂点の間に長手方向の中心軸を有する対称的な回転子とを具備し、この回転子は、前記チャンバの中に、前記両頂点が前記内壁を連続的にスイープし、この結果、連続的に容積が増減する、各ローブと前記内壁との間のキャビティを生じるように、前記チャンバの中を偏心的に回転するように配置され、また、この回転子は、前記チャンバの一方の端部を通って延びている第１シャフトと他方の端部を通って延びている第２シャフトとを有しているスプリットシャフトシステムに取り付けられ、また、この第１シャフトは、前記回転子の長軸に沿って向けられている第１の細長いスロットに対する往復運動のために取り付けられている第１ブロックを支持し、また、前記第２シャフトは、前記第１シャフトに直交して向けられている第２の細長いスロットに対する往復運動のために取り付けられている第２ブロックを支持し、また、これらブロックとこれらシャフトとは、前記回転子の中心を前記チャンバ内の円形の軌道に従わせるようにこの回転子の偏心的な回転を可能にし、また、この回転子の負荷は、各ブロックとシャフトとにより連続的に支持されており、
前記キャビティの中への流体の供給と中からの排出とのための互いに離間された入口ポートと排出ポートをさらに具備するロータリー機構。
【請求項１３】
前記第１及び第２シャフトは、互いに軸方向にずれて配置されている請求項１２に記載のロータリー機構。
【請求項１４】
一方のシャフトの軸中心が、前記チャンバの中心軸と一致している請求項１３に記載のロータリー機構。
【請求項１５】
前記回転子の円形の軌道の中心は、前記チャンバの中心軸とずれている請求項１２に記載のロータリー機構。
【請求項１６】
前記軌道の中心は、前記中心軸とこの中心軸と一致していない前記シャフトの軸中心との間の中間にある請求項１５に記載のロータリー機構。
【請求項１７】
前記回転子の両頂点には、前記内壁と連続的に接触しているこの回転子の両頂点での溝の中に位置されている外向きに変位する封止部分が設けられている前記全ての請求項のいずれか１に記載のロータリー機構。
【請求項１８】
前記封止部分は、ばねでバイアスされている封止部分である請求項１７に記載のロータリー機構。
【請求項１９】
前記キャビティの中の流体は、前記溝の中に入り、前記内壁に対して前記封止部分を押し付けることができる請求項１８に記載のロータリー機構。
【請求項２０】
流体を移動させ、膨張させ、圧縮し又は内燃する前記全ての請求項のいずれか１に記載のロータリー機構を有している機械。
【請求項２１】
前記回転子のプロファイル並びに／もしくはチャンバのプロファイルは、特定の機械的なパラメータに合うように変更される前記全ての請求項のいずれか１に係るロータリー機構。
【請求項２２】
前記ガイドディスク並びに／もしくは円形のくぼみの形状は、特定の機械的なパラメータに合うように変更される請求項３に記載のロータリー機構。
【請求項２３】
前記パラメータは、間隔の増加、流速の変化又はくぼんだ燃焼チャンバである請求項２１又は２２に記載のロータリー機構。
【請求項２４】
前記チャンバのプロファイルは、円形又はコンコイド形状である前記全ての請求項のいずれか１に記載のロータリー機構。
【請求項２５】
前記全ての請求項のいずれか１に記載のロータリー機構と、このロータリー機構の中で前記回転子の運動のバランスをとるバランス機構とを有している機械。
【請求項２６】
前記バランス機構は、前記回転子の回転毎に２サイクルで回転している請求項２５に記載の機械。